(57)【要約】【課題】様々な使用場面及び吐水形態において使い勝手の良い水栓装置を提供する。【解決手段】本発明は、複数の吐水形態を切替可能であり、所定の吐水条件を設定可能な水栓装置（１）であって、吐水部（２）と、選択されている吐水形態を検出する吐水形態検出手段（１４）と、一部の吐水形態に対応した固定された吐水条件を記憶した記憶手段（２２ａ）と、吐水条件を変更する操作部（８、１０）と、吐水条件に応じた吐水を形成する吐水条件形成手段（１６、１８）と、吐水条件形成手段を制御して吐水させる制御手段（２２）と、を有し、制御手段は、固定された吐水条件が規定されている吐水形態で吐水が開始された場合には、その吐水形態に対応した固定された吐水条件で吐水を開始させ、固定された吐水条件が規定されていない吐水形態で吐水が開始された場合には、前回の止水時における吐水条件で吐水を開始させることを特徴としている。【選択図】図４
2010059740.tif 000002
【特許請求の範囲】
【請求項１】
複数の吐水形態を切替えて吐水することが可能であり、所定の吐水条件を設定することができる水栓装置であって、
吐水口を備えた吐水部と、
上記複数の吐水形態のうちのどの吐水形態が選択されているかを検出する吐水形態検出手段と、
上記複数の吐水形態のうちの一部の吐水形態に対応した固定された吐水条件を記憶した記憶手段と、
上記各吐水形態における吐水条件を変更するための単一の操作部と、
吐水条件に応じた吐水を形成する吐水条件形成手段と、
上記吐水形態検出手段によって検出された吐水形態、上記記憶手段に記憶された固定された吐水条件、及び上記操作部の操作に基づいて、上記吐水条件形成手段を制御して吐水させる制御手段と、を有し、
上記制御手段は、上記固定された吐水条件が規定されている吐水形態で吐水が開始された場合には、その吐水形態に対応した固定された吐水条件で吐水を開始させ、上記固定された吐水条件が規定されていない吐水形態で吐水が開始された場合には、前回の止水時における吐水条件で吐水を開始させることを特徴とする水栓装置。
【請求項２】
上記制御手段は、前回の止水後、所定時間が経過していない場合には、上記固定された吐水条件が規定されている吐水形態で吐水が開始された場合にも、前回の止水時における吐水条件で吐水を開始させる請求項１記載の水栓装置。
【請求項３】
吐水条件は吐水温度であり、上記制御手段は、固定された吐水条件である固定吐水温度が前回の止水時における吐水温度よりも高い場合には、上記固定吐水温度が規定されている吐水形態で吐水が開始された場合にも、前回の止水時における吐水温度で吐水を開始させる請求項１又は２記載の水栓装置。
【請求項４】
吐水条件は吐水流量であり、上記制御手段は、固定された吐水条件である固定吐水流量が前回の止水時における吐水流量よりも多い場合には、上記固定吐水流量が規定されている吐水形態で吐水が開始された場合にも、前回の止水時における吐水流量で吐水を開始させる請求項１又は２記載の水栓装置。
【請求項５】
上記吐水部は水栓本体から引き出し可能に構成されており、上記固定された吐水条件は、上記吐水部を引き出した吐水形態に対応して規定されている請求項１乃至４の何れか１項に記載の水栓装置。
【請求項６】
上記吐水部は水栓本体に対して回転可能に構成されており、上記固定された吐水条件は、上記吐水部の吐水口が上方に向けられた吐水形態に対応して規定されている請求項１乃至４の何れか１項に記載の水栓装置。
【請求項７】
上記吐水部はシャワーヘッド及びカランであり、上記吐水形態としてシャワーヘッドからの吐水とカランからの吐水を備えており、上記固定された吐水条件は、シャワーヘッドからの吐水に対応して規定されている請求項１乃至４の何れか１項に記載の水栓装置。
【発明の詳細な説明】
【技術分野】
【０００１】
本発明は水栓装置に関し、特に、複数の吐水形態を切替えて吐水することが可能であり、所定の吐水条件を設定することができる水栓装置に関する。
【背景技術】
【０００２】
特開昭６３−１９０１７号公報（特許文献１）には、湯水混合装置が記載されている。この湯水混合装置は、混合湯温の設定を行うことができるように構成されており、給湯停止時には、設定温度を所定の初期設定温度にするように構成されている。
【０００３】
また、実開昭６３−１００５６４号公報（特許文献２）には、湯水混合水栓装置が記載されている。この湯水混合水栓装置は、吐水流量の切換、湯温の選択ができるように構成されており、吐水の停止、湯量の切換、湯温の切換のうち少なくとも１つが行われた後、所定時間経過すると、湯量及び湯温が中間流量及び中間湯温に切り換えられる。
【０００４】
【特許文献１】特開昭６３−１９０１７号公報
【特許文献２】実開昭６３−１００５６４号公報
【発明の開示】
【発明が解決しようとする課題】
【０００５】
しかしながら、水栓装置には様々な吐水形態のものがあり、吐水形態によっては、直前に使用したときの吐水条件で吐水が再開された方が使い勝手が良いものもあり、規定の吐水条件で吐水が再開される水栓装置は必ずしも使い勝手の良いものではない。
【０００６】
従って、本発明は、様々な使用場面及び吐水形態において使い勝手の良い水栓装置を提供することを目的としている。
【課題を解決するための手段】
【０００７】
本発明は、複数の吐水形態を切替えて吐水することが可能であり、所定の吐水条件を設定することができる水栓装置であって、吐水口を備えた吐水部と、複数の吐水形態のうちのどの吐水形態が選択されているかを検出する吐水形態検出手段と、複数の吐水形態のうちの一部の吐水形態に対応した固定された吐水条件を記憶した記憶手段と、各吐水形態における吐水条件を変更するための単一の操作部と、吐水条件に応じた吐水を形成する吐水条件形成手段と、吐水形態検出手段によって検出された吐水形態、記憶手段に記憶された固定された吐水条件、及び操作部の操作に基づいて、吐水条件形成手段を制御して吐水させる制御手段と、を有し、制御手段は、固定された吐水条件が規定されている吐水形態で吐水が開始された場合には、その吐水形態に対応した固定された吐水条件で吐水を開始させ、固定された吐水条件が規定されていない吐水形態で吐水が開始された場合には、前回の止水時における吐水条件で吐水を開始させることを特徴とする水栓装置。
【０００８】
このように構成された本発明においては、吐水形態検出手段により、複数の吐水形態のうちのどの吐水形態が選択されているかが検出される。記憶手段は、複数の吐水形態のうちの一部の吐水形態に対応した固定された吐水条件を記憶している。また、各吐水形態における吐水条件は、単一の操作部により変更される。吐水条件形成手段は、操作部により設定された吐水条件に応じた吐水を形成する。制御手段は、固定された吐水条件が規定されている吐水形態で吐水が開始された場合には、その吐水形態に対応した固定された吐水条件で吐水を開始させ、固定された吐水条件が規定されていない吐水形態で吐水が開始された場合には、前回の止水時における吐水条件で吐水を開始させる。
【０００９】
このように構成された本発明によれば、複数の吐水形態のうちの一部の吐水形態について固定された吐水条件で吐水が開始されるので、吐水条件を調整することが稀な吐水形態については、固定された吐水条件で吐水を開始させることができると共に、吐水条件を調整して使用することを前提とする吐水形態については、前回調整した吐水条件で吐水を再開することができる。
【００１０】
本発明において、好ましくは、制御手段は、前回の止水後、所定時間が経過していない場合には、上記固定された吐水条件が規定されている吐水形態で吐水が開始された場合にも、前回の止水時における吐水条件で吐水を開始させる。
【００１１】
このように構成された本発明によれば、前回の止水後、所定時間内に吐水が再開された場合には前回の止水時における吐水条件で吐水が開始されるので、吐水条件を調整することが稀な吐水形態についても、吐水条件を調整した使用者の意に沿う吐水条件で吐水を再開することができる。
【００１２】
本発明において、好ましくは、吐水条件は吐水温度であり、制御手段は、固定された吐水条件である固定吐水温度が前回の止水時における吐水温度よりも高い場合には、固定吐水温度が規定されている吐水形態で吐水が開始された場合にも、前回の止水時における吐水温度で吐水を開始させる。
【００１３】
このように構成された本発明によれば、固定吐水温度が前回の止水時における吐水温度よりも高い場合には、吐水条件の自動変更を行わないので、使用者が意図しない高温で吐水されることがなく、無駄なエネルギーの消費を抑えることができる。また、使用者が意図しない高温で吐水されることがないので、不意に高温の吐水が開始される不具合を防止することができる。
【００１４】
本発明において、好ましくは、吐水条件は吐水流量であり、制御手段は、固定された吐水条件である固定吐水流量が前回の止水時における吐水流量よりも多い場合には、固定吐水流量が規定されている吐水形態で吐水が開始された場合にも、前回の止水時における吐水流量で吐水を開始させる。
【００１５】
このように構成された本発明によれば、固定吐水流量が前回の止水時における吐水流量よりも多い場合には、吐水条件の自動変更を行わないので、使用者が意図しない大流量で吐水されることがなく、水の無駄な消費を防止することができる。また、使用者が意図しない大流量で吐水されることがないので、不意に大流量で吐水が開始されることによる水跳ね等を防止することができる。
【００１６】
本発明において、好ましくは、吐水部は水栓本体から引き出し可能に構成されており、固定された吐水条件は、吐水部を引き出した吐水形態に対応して規定されている。
【００１７】
このように構成された本発明によれば、吐水部を引き出した状態において、不意に大流量が吐水されたり、高温の吐水が為されるのを防止することができるので、水跳ねや、高温の吐水を浴びるのを防止することができる。
【００１８】
本発明において、好ましくは、吐水部は水栓本体に対して回転可能に構成されており、固定された吐水条件は、吐水部の吐水口が上方に向けられた吐水形態に対応して規定されている。
【００１９】
このように構成された本発明によれば、吐水口が上方に向けられた状態において、不意に大流量が吐水されたり、高温の吐水が為されるのを防止することができるので、水跳ねや、高温の吐水を浴びるのを防止することができる。
【００２０】
本発明において、好ましくは、吐水部はシャワーヘッド及びカランであり、吐水形態としてシャワーヘッドからの吐水とカランからの吐水を備えており、固定された吐水条件は、シャワーヘッドからの吐水に対応して規定されている。
【００２１】
このように構成された本発明によれば、シャワー吐水において、不意に大流量が吐水されたり、高温の吐水が為されるのを防止することができるので、水を意図しないところにかけたり、高温の吐水を浴びるのを防止することができる。
【発明の効果】
【００２２】
本発明の水栓装置によれば、様々な使用場面及び吐水形態における使い勝手を良くすることができる。
【発明を実施するための最良の形態】
【００２３】
次に、添付図面を参照して、本発明の実施形態を説明する。
まず、図１乃至図８を参照して、本発明の第１実施形態による水栓装置を説明する。図１及び図２は、本実施形態による水栓装置全体を示す斜視図であり、図１は吐水ヘッドを水栓本体に装着した状態を示し、図２は吐水ヘッドを水栓本体から引き出した状態を示す。図３は、本実施形態による水栓装置の構成を示すブロック図である。さらに、図４は本実施形態の水栓装置の作用を示すタイムチャートであり、図５乃至８は水栓装置の作用を示す制御のフローチャートである。
【００２４】
図１及び図２に示すように、本発明の第１実施形態による水栓装置１は、吐水口２ａが設けられた吐水部である吐水ヘッド２と、洗面ボウル４に取り付けられた水栓本体６と、洗面ボウル４に配置された操作部である流調操作部８及び温調操作部１０と、洗面ボウル４の下側に配置された水栓装置機能部１２（図３）と、を有する。
【００２５】
本実施形態による水栓装置１は、流調操作部８及び温調操作部１０を操作することにより、水栓装置機能部１２に電気信号が送られ、各機能を実行することができる。即ち、水栓装置１は、流調操作部８を押圧操作することにより吐水ヘッド２の吐水口２ａからの吐水、止水の切り換えを行うことができ、流調操作部８を回転操作することにより吐水流量の調整を行うことができる。また、水栓装置１は、温調操作部１０を回転操作することにより、吐水温度の調整を行うことができるように構成されている。
【００２６】
流調操作部８及び温調操作部１０の内部には、表示手段であるＬＥＤ（図示せず）が内蔵されており、このＬＥＤからの照射光により各操作部の周りに概ね扇形の光照射部８ａ、１０ａが形成される。各光照射部の扇形の中心角は、設定流量及び設定温度に応じて夫々大きくなるように構成されており、使用者は、各光照射部の形状により、設定流量、設定温度を視覚的に認識できるようになっている。
【００２７】
また、図２に示すように、吐水ヘッド２は、水栓本体６から外して引き出し、吐水口２ａの位置を変更できるように構成されている。これにより、吐水ヘッド２をシャワーホース２ｂに接続されたシャワーヘッドのように使用することができる。さらに、水栓本体６には、吐水ヘッド２との接続部に吐水形態検出手段である着脱センサ１４が設けられている。この着脱センサ１４により、吐水形態の切替え、即ち、吐水ヘッド２が水栓本体６に装着されて使用されているか、或いは、吐水ヘッド２が水栓本体６から外されて使用されているかを検出することができる。なお、本実施形態においては、着脱センサ１４として、ホール素子が使用されている。このホール素子が吐水ヘッド２に取り付けられた磁石（図示せず）の磁気を検出することにより、複数の吐水形態のうちどの吐水形態が選択されているか、即ち、吐水ヘッド２の着脱を検出することができる。
【００２８】
さらに、水栓装置１の吐水条件の１つである吐水流量は、吐水ヘッド２の着脱に関わらず流調操作部８により調整されるので、流調操作部８は各吐水形態における吐水条件を変更する単一の操作部である。また、水栓装置１のもう１つの吐水条件である吐水温度は、吐水ヘッド２の着脱に関わらず温調操作部１０により調整されるので、温調操作部１０は各吐水形態における吐水条件を変更する単一の操作部である。
【００２９】
図３に示すように、水栓装置機能部１２は、給湯管１６ａ及び給水管１６ｂに接続された温調バルブ１６と、この温調バルブ１６の下流側に接続された流量調整弁１８と、この流量調整弁１８の下流側に接続された電磁弁２０と、温調バルブ１６、流量調整弁１８及び電磁弁２０を制御する制御手段であるコントローラ２２と、を有する。温調バルブ１６の出口管路には流量調整弁１８が接続され、流量調整弁１８の出口管路には電磁弁２０が接続され、電磁弁２０の出口管路にはシャワーホース２ｂ（図２）を介して吐水ヘッド２が接続されている。この構成により、電磁弁２０が開放されると、温調バルブ１６から流出した湯水は流量調整弁１８を通って電磁弁２０に流入し、吐水ヘッド２の吐水口２ａから吐水される。
【００３０】
なお、本実施形態においては、吐水条件である湯水の吐水流量及び吐水温度は、夫々流量調整弁１８及び温調バルブ１６により調整されるので、流量調整弁１８及び温調バルブ１６は夫々、吐水条件に応じた吐水を形成する吐水条件形成手段として機能する。
【００３１】
温調バルブ１６は、温度設定に従って、給湯管１６ａから流入した湯、及び給水管１６ｂから流入した水を混合して流出させるように構成されている。本実施形態においては、温調バルブ１６として、主弁体を形状記憶合金バネ及びバイアスバネの付勢力により駆動して温度を調整するタイプのサーモバルブが使用されている。また、温調バルブ１６から吐水される湯水の設定温度は、温調バルブ１６に連結されたモータ１６ｃを駆動することにより変更することができる。
【００３２】
コントローラ２２は、流調操作部８及び温調操作部１０から入力された電気信号に基づいて、電磁弁２０、流量調整弁１８、及び温調バルブ１６に信号を送って、これらを制御するように構成されている。具体的には、コントローラ２２は、各操作部からの信号を入力するための入力インターフェイス、制御プログラム、記憶吐水条件である各吐水形態における設定温度、設定流量を記憶する記憶手段であるメモリ２２ａ、プログラムを実行するマイクロプロセッサ、電磁弁及び温調バルブを駆動するための出力インターフェイス等から構成される（メモリ２２ａのみ図示）。コントローラ２２による制御の詳細は、後述する。
【００３３】
次に、図４乃至図８を参照して、本発明の第１実施形態による水栓装置１の作用を説明する。なお、本実施形態の水栓装置１おいては、２つの吐水形態のうちの１つである吐水ヘッド２を引き出した状態に対して、固定された吐水条件である固定吐水温度が規定されており、この吐水形態に対しては、所定の固定吐水温度により吐水が開始される。また、以下に説明するように、所定の場合には、吐水温度の固定吐水温度への自動変更が禁止される。
図４は、上段から順に、吐水ヘッド２からの吐水流量、吐水温度、吐水形態の切替えである吐水ヘッド２の着脱、止水後経過時間タイマーの積算時間、を示したタイムチャートである。図５は、水栓装置機能部１２に内蔵されたコントローラ２２による制御のフローチャートである。図６乃至図８は、図５のフローチャートから呼び出されるサブルーチンのフローチャートである。
【００３４】
まず、図５のステップＳ１において電源が投入されると、ステップＳ２において、電磁弁２０がＯＦＦ、即ち閉鎖される。さらに、ステップＳ３においては、各変数、フラグの初期値が設定される。即ち、吐止水モードフラグＦｐｍの値を止水状態を表す０に、吐水形態フラグＦｔｋの値を吐水ヘッド２の装着状態を表す０に、夫々設定する。さらに、吐水流量目標値Ｑｍを３Ｌ／ｍｉｎに設定する。また、吐水温度目標値ｔｍ及び吐水ヘッド２の引き出し状態における固定吐水温度ｔＭ（１）を夫々３８゜Ｃに設定する。さらに、吐水ヘッド２の装着状態における吐水流量上限値ＱＬ（０）を１０Ｌ／ｍｉｎに、吐水ヘッド２の引き出し状態における吐水流量上限値ＱＬ（１）を６Ｌ／ｍｉｎに設定する。また、吐水ヘッド２の装着状態における吐水温度上限値ｔＬ（０）を６０゜Ｃに、吐水ヘッド２の引き出し状態における吐水温度上限値ｔＬ（１）を４０゜Ｃに設定する。さらに、止水後経過時間タイマーＴｓの値を０にリセットする。
なお、本実施形態における固定吐水温度は、引き出した状態の吐水形態に対応した固定された吐水条件である。
【００３５】
続くステップＳ４以下、水栓装置１の電源投入後、流調操作部８が押圧操作されて吐水が開始されるまでの止水状態においては、図５のステップＳ４→Ｓ５→Ｓ１１→Ｓ４の処理が繰り返される。
【００３６】
一方、止水状態において、流調操作部８が押圧操作されると、コントローラ２２における処理はステップＳ１１からステップＳ１２に移行し、ステップＳ１２→Ｓ１３→Ｓ１４の処理が実行されて吐水状態となる。以後、吐水状態において流調操作部８が押圧操作されるまでは、ステップＳ４→Ｓ５→Ｓ６→Ｓ７→Ｓ４の処理が繰り返される。
【００３７】
吐水状態において流調操作部８が押圧操作されると、コントローラ２２における処理はステップＳ７からステップＳ８に移行し、ステップＳ８→Ｓ９→Ｓ１０の処理が実行されて再び止水状態となる。
【００３８】
なお、図５のステップＳ４においては、図６に示す吐水目標設定サブルーチンが実行され、ステップＳ１２においては図７に示す吐水開始条件設定サブルーチンが実行され、ステップＳ６においては図８に示す流量温度調整サブルーチンが実行される。
【００３９】
まず、図６に示す吐水目標設定サブルーチンにおける処理を説明する。
ステップＳ１０１においては、選択されている吐水形態が判定される。即ち、コントローラ２２は、着脱センサ１４から送られた信号に基づいて、吐水ヘッド２が水栓本体６に装着されているか否かを判定する。吐水ヘッド２が水栓本体６に装着されている場合には、ステップＳ１０３に進み、吐水形態フラグＦｔｋの値が装着状態を表す０にされ、吐水ヘッド２が水栓本体６から引き出されている場合には、ステップＳ１０２に進み、吐水形態フラグＦｔｋの値が引き出し状態を表す１にされる。
【００４０】
図４の時刻ｔ０においては、吐水ヘッド２は水栓本体６に装着されているため、ステップＳ１０３において吐水形態フラグＦｔｋの値が装着状態を表す０にされる。
【００４１】
次いで、ステップＳ１０４においては、吐水流量目標値Ｑｍの値と、現在の吐水形態における吐水流量上限値ＱＬ（Ｆｔｋ）の値が比較される。即ち、吐水ヘッド２が水栓本体６に装着されている場合には、吐水流量目標値Ｑｍと吐水流量上限値ＱＬ（０）が比較され、吐水ヘッド２が引き出されている場合には、吐水流量目標値Ｑｍと吐水流量上限値ＱＬ（１）が比較される。吐水流量目標値Ｑｍが吐水流量上限値ＱＬ（Ｆｔｋ）を超えている場合には、ステップＳ１０５に進み、吐水流量目標値Ｑｍの値を吐水流量上限値ＱＬ（Ｆｔｋ）に変更する。吐水流量目標値Ｑｍが吐水流量上限値ＱＬ（Ｆｔｋ）以下の場合には、そのままステップＳ１０６に進む。
【００４２】
本実施形態においては、吐水ヘッド２の装着状態における吐水流量上限値ＱＬ（０）は、１０Ｌ／ｍｉｎに設定されており、引き出し状態における吐水流量上限値ＱＬ（１）は、６Ｌ／ｍｉｎに設定されている。これは、吐水ヘッド２の装着状態においては洗面ボウル４に湯水を溜める場合等大流量が必要とされる場合があり、引き出し状態においては、あまり大きな流量で吐水されると水跳ね等の問題を生じるためである。このように、吐水形態に応じて吐水流量上限値を設定しておくことにより、過大な吐水流量を防止しながら、大流量が必要とされる場面では、十分な流量を吐水させることができる。
【００４３】
図４の時刻ｔ０においては、吐水流量目標値Ｑｍは、吐水流量上限値ＱＬ（０）よりも小さいため、吐水流量目標値Ｑｍは変更されることなくステップＳ１０６に進む。
【００４４】
ステップＳ１０６においては、吐水温度目標値ｔｍの値と、現在の吐水形態における吐水温度上限値ｔＬ（Ｆｔｋ）の値が比較される。即ち、吐水ヘッド２が水栓本体６に装着されている場合には、吐水温度目標値ｔｍと吐水温度上限値ｔＬ（０）が比較され、吐水ヘッド２が引き出されている場合には、吐水温度目標値ｔｍと吐水温度上限値ｔＬ（１）が比較される。吐水温度目標値ｔｍが吐水温度上限値ｔＬ（Ｆｔｋ）を超えている場合には、ステップＳ１０７に進み、吐水温度目標値ｔｍの値を吐水温度上限値ｔＬ（Ｆｔｋ）に変更する。吐水温度目標値ｔｍが吐水温度上限値ｔＬ（Ｆｔｋ）以下の場合には、そのままステップＳ１０８に進む。
【００４５】
本実施形態においては、吐水ヘッド２の装着状態における吐水温度上限値ｔＬ（０）は、６０゜Ｃに設定されており、引き出し状態における吐水温度上限値ｔＬ（１）は、４０゜Ｃに設定されている。これは、吐水ヘッド２の装着状態においては高温の湯水が必要とされる場合があり、引き出し状態においては、高温の湯水を誤って洗髪に使用してしまう等の問題の発生を防止するためである。このように、吐水形態に応じて吐水温度上限値を設定しておくことにより、誤使用による問題の発生を防止しながら、高温の湯水が必要とされる場面では、十分に高い温度の湯水を吐水させることができる。
【００４６】
図４の時刻ｔ０においては、吐水温度目標値ｔｍは、吐水温度上限値ｔＬ（０）よりも低いため、吐水温度目標値ｔｍは変更されることなくステップＳ１０８に進む。
【００４７】
ステップＳ１０８においては、コントローラ２２は、表示手段に吐水流量目標値Ｑｍ及び吐水温度目標値ｔｍの値を送り、表示手段はそれらの値を表示する。次に、ステップＳ１０９においては、吐止水モードフラグＦｐｍの値が判断される。吐止水モードフラグＦｐｍ＝１、即ち、吐水中である場合にはステップＳ１１０に進み、吐止水モードフラグＦｐｍ＝０、即ち、止水中である場合には、図６に示すサブルーチンの処理を終了する。ステップＳ１１０においては、コントローラ２２は、流量調整弁１８に信号を送り、吐水流量が吐水流量目標値Ｑｍになるように流量調整弁１８を制御する。さらに、ステップＳ１１１においては、コントローラ２２は、温調バルブ１６に信号を送り、吐水温度が吐水温度目標値ｔｍになるように温調バルブ１６を制御し、図６に示すサブルーチンの処理を終了する。
【００４８】
図４に示すタイムチャートの時刻ｔ０において、流調操作部８が押圧操作されると、上述したように、コントローラ２２における処理は、図５のステップＳ１１からステップＳ１２に移行し、ステップＳ１２においては、図７に示す吐水開始条件設定サブルーチンが呼び出される。
【００４９】
まず、図７のステップＳ２０１においては、吐水形態フラグＦｔｋの値が判断される。Ｆｔｋ＝１、即ち、吐水ヘッド２が水栓本体６から引き出されている場合にはステップＳ２０２に進み、Ｆｔｋ＝０、即ち、吐水ヘッド２が水栓本体６に装着されている場合には図７に示すサブルーチンの処理を終了する。このように、本実施形態においては、２つの吐水形態のうちの１つである吐水ヘッド２の引き出し状態においては、メモリ２２に記憶され固定された吐水条件である固定吐水温度への変更を行うが、吐水ヘッド２の装着状態においては、従前の吐水条件が維持される。
【００５０】
次に、ステップＳ２０２においては、固定吐水温度ｔＭ（１）と吐水温度目標値ｔｍの値が比較される。固定吐水温度ｔＭ（１）が吐水温度目標値ｔｍよりも低い場合にはステップＳ２０３に進み、高い場合には図７に示すサブルーチンの処理を終了する。このように、本実施形態においては、固定吐水温度が、従前の吐水温度である吐水温度目標値ｔｍよりも低い場合には、吐水温度目標値ｔｍの固定吐水温度への変更を行うが、変更により吐水温度が上昇する場合には、従前の吐水条件が維持される。
【００５１】
次に、ステップＳ２０３においては、止水後経過時間タイマーＴｓの積算値が、所定の止水後時間ＴＳを経過しているか否かが判定される。止水後時間ＴＳが経過している場合にはステップＳ２０４に進み、経過していない場合には図７に示すサブルーチンの処理を終了する。このように、本実施形態においては、前回の止水後、所定の止水後時間ＴＳが経過するまでは、吐水温度目標値ｔｍの固定吐水温度への変更は行なわれず、従前の吐水条件が維持される。なお、本実施形態においては、止水後時間ＴＳは約６０秒である。
次に、ステップＳ２０４においては、吐水温度目標値ｔｍが固定吐水温度ｔＭ（１）に変更される。これにより、吐水温度が自動的に規定の値に変更される。
【００５２】
図５のステップＳ１２から呼び出される図７のサブルーチンの処理が終了すると、処理は、図５のステップＳ１３に移行する。ステップＳ１３においては、吐止水モードフラグＦｐｍの値が、吐水状態を表す値１にセットされる。さらに、ステップＳ１４においては、コントローラ２２は、電磁弁２０に信号を送り、これを開放させる。これにより、図４の時刻ｔ０において、吐水が開始される。
【００５３】
次いで、コントローラ２２における処理は、ステップＳ４に戻り、図６のサブルーチンが実行される。
図４の時刻ｔ０においては、吐止水モードフラグＦｐｍの値は、ステップＳ１３において１に設定されているので、図６のステップＳ１１０、Ｓ１１１の処理が行われる。ステップＳ１１０においては、コントローラ２２は、図５のステップＳ３において初期設定された吐水流量目標値Ｑｍの信号を送り、この流量による吐水がなされるように流量調整弁１８を制御する。これにより、時刻ｔ０の後、吐水流量は、３Ｌ／ｍｉｎに調整される。さらに、ステップＳ１１１においては、コントローラ２２は、図７のステップＳ２０４において設定された吐水温度目標値ｔｍの信号を送り、この温度による吐水がなされるように温調バルブ１６を制御する。なお、図７のサブルーチンにおいて、ステップＳ２０４が実行されていない場合には、従前の吐水温度目標値ｔｍがそのまま維持される。
【００５４】
次いで、コントローラ２２による処理は、図５のステップＳ５に移行する。
ステップＳ５においては、吐水状態か否か、即ち、吐止水モードフラグＦｐｍの値が判断される。吐水状態である吐止水モードフラグＦｐｍ＝１の場合にはステップＳ６に進み、止水状態である吐止水モードフラグＦｐｍ＝０の場合にはステップＳ１１に進む。
【００５５】
水栓装置１の電源投入後、何も操作されていない場合には、止水状態であり、吐止水モードフラグＦｐｍ＝０であるためステップＳ１１に進み、以後、ステップＳ１１→Ｓ４→Ｓ５→Ｓ１１の処理が繰り返される。
【００５６】
一方、図４の時刻ｔ０においては、ステップＳ１３で吐止水モードフラグＦｐｍが１に変更されているため、コントローラ２２による処理は、ステップＳ５からステップＳ６に移行する。
【００５７】
次に、ステップＳ６においては、図８に示すサブルーチンが呼び出される。
まず、図８のステップＳ３０１においては、流調操作部８が操作されたか否かが判断される。操作されている場合にはステップＳ３０２に進み、操作されていない場合にはステップＳ３０４に進む。ステップＳ３０２においては、流調操作部８の操作角度Ｑ０ａが取得される。次いで、ステップＳ３０３においては、吐水流量目標値Ｑｍが流調操作部８の操作角度Ｑ０ａに応じて変更される。即ち、流調操作部８が時計回りに回転された場合には吐水流量目標値Ｑｍは増加され、反時計回りに回転された場合には吐水流量目標値Ｑｍは減少される。変更された吐水流量目標値Ｑｍは、次に図６のステップＳ１１０が実行されたとき、吐水流量に反映される。
【００５８】
次に、ステップＳ３０４においては、温調操作部１０が操作されたか否かが判断される。操作されている場合にはステップＳ３０５に進み、操作されていない場合には図８に示すサブルーチンの処理を終了する。ステップＳ３０５においては、温調操作部１０の操作角度ｔ０ａが取得される。次いで、ステップＳ３０６においては、吐水流量目標値ｔｍが温調操作部１０の操作角度ｔ０ａに応じて変更され、図８に示すサブルーチンの処理を終了する。なお、温調操作部１０が時計回りに回転された場合には吐水温度目標値ｔｍは増加され、反時計回りに回転された場合には吐水温度目標値ｔｍは減少される。変更された吐水温度目標値ｔｍは、次に図６のステップＳ１１１が実行されたとき、吐水温度に反映される。
【００５９】
図４の時刻ｔ０の後、流調操作部８又は温調操作部１０が回転操作されるまでは、図８に示すサブルーチンにおいて、各フラグ及び変数が変更されることはない。
【００６０】
図５のステップＳ６の処理が実行された後、コントローラ２２による処理は、ステップＳ７に移行する。時刻ｔ０の後、流調操作部８が押圧操作されるまでは、ステップＳ４→Ｓ５→Ｓ６→Ｓ７→Ｓ４の処理が繰り返される。また、これらのステップの処理を繰り返す間、使用者による何らかの操作が検知されるまでは、各フラグ及び変数が変更されることはない。
【００６１】
次に、図４の時刻ｔ１において、使用者が吐水ヘッド２を水栓本体６から引き出すと、これを着脱センサ１４が検出し、コントローラ２２に検出信号を送る。この検出信号は、図６のステップＳ１０１において処理され、ステップＳ１０２により吐水形態フラグＦｔｋの値が１に変更される。
【００６２】
この吐水形態フラグＦｔｋの値の変更が、吐水温度目標値ｔｍ及び吐水流量目標値Ｑｍに影響を与えることはなく、吐水形態の切り替え前と同一の吐水条件で吐水が継続され、図５のステップＳ４→Ｓ５→Ｓ６→Ｓ７→Ｓ４の処理が繰り返される。
【００６３】
次に、図４の時刻ｔ２において、使用者が流調操作部８の回転操作を開始すると、この操作は、図５のステップＳ６において呼び出される図８に示すサブルーチンにより処理される。
【００６４】
まず、図８のステップＳ３０１において、流調操作部８が回転操作されたと判断され、処理は、ステップＳ３０２に移行する。ステップＳ３０２おいては、回転操作の操作角度Ｑ０ａが、コントローラ２２に取り込まれる。次いで、ステップＳ３０３においては、吐水流量目標値Ｑｍの値が、操作角度Ｑ０ａに応じて変更される。図４の時刻ｔ２においては流調操作部８は反時計回りに回転されているので、操作角度Ｑ０ａはマイナスであり、吐水流量目標値Ｑｍの値は減少される。
【００６５】
次に、ステップＳ３０４においては、温調操作部１０は回転操作されていないと判断され、図８のサブルーチンの処理が終了する。この吐水流量目標値Ｑｍの変化は、次に図６のステップＳ１１０が実行された時点で吐水流量に反映される。同様の処理が、使用者による流調操作部８の回転操作が終了する時刻ｔ３まで繰り返され、吐水流量は、使用者の回転操作に応じて減少される。使用者による流調操作部８の回転操作終了後、各フラグ及び変数は変更されることなく、ステップＳ４→Ｓ５→Ｓ６→Ｓ７→Ｓ４の処理が繰り返される。
【００６６】
また、図４の時刻ｔ４において、使用者が温調操作部１０の回転操作を開始すると、この操作も同様に、図５のステップＳ６において呼び出される図８に示すサブルーチンにより処理される。
まず、ステップＳ３０１においては、流調操作部８は回転操作されていないと判断され、処理は、ステップＳ３０４に移行する。
【００６７】
次に、ステップＳ３０４において、温調操作部１０が回転操作されたと判断され、処理は、ステップＳ３０５に移行する。ステップＳ３０５おいては、回転操作の操作角度ｔ０ａが、コントローラ２２に取り込まれる。次いで、ステップＳ３０６においては、吐水温度目標値ｔｍの値が、操作角度ｔ０ａに応じて変更される。図４の時刻ｔ４においては温調操作部１０は時計回りに回転されているので、操作角度ｔ０ａはプラスであり、吐水温度目標値ｔｍの値は増加される。
【００６８】
この吐水温度目標値ｔｍの変化は、次に図６のステップＳ１１１が実行された時点で吐水温度に反映される。同様の処理が、使用者による温調操作部１０の回転操作が終了する時刻ｔ５まで繰り返され、吐水温度は、使用者の回転操作に応じて上昇される。図４の例においては、吐水温度目標値ｔｍは、時刻ｔ５において固定吐水温度ｔＭ（１）よりも高い温度まで上昇されている。使用者による温調操作部１０の回転操作終了後、各フラグ及び変数は変更されることなく、ステップＳ４→Ｓ５→Ｓ６→Ｓ７→Ｓ４の処理が繰り返される。
【００６９】
次に、図４の時刻ｔ６において、使用者が流調操作部８を押圧操作すると、コントローラ２２における処理は、図５のステップＳ７からステップＳ８に移行する。ステップＳ８においては、吐止水モードフラグＦｐｍの値が０にされる。さらに、ステップＳ９においては、コントローラ２２に内蔵された止水後経過時間タイマーＴｓ（図示せず）の積算が開始される。次いで、ステップＳ１０においては、コントローラ２２は、電磁弁２０に信号を送ってこれを閉鎖させ、止水状態とする。ステップＳ１０の処理後、コントローラ２２における処理は、ステップＳ４に戻る。
【００７０】
使用者による止水操作の後、各フラグ及び変数は変更されることなく、ステップＳ４→Ｓ５→Ｓ１１→Ｓ４の処理が繰り返される。一方、止水後経過時間タイマーＴｓは、止水後の経過時間を積算し続ける。
図４の時刻ｔ７において止水後経過時間タイマーＴｓの積算時間が止水後時間ＴＳを超えた後、時刻ｔ８において、使用者が流調操作部８を押圧操作すると、コントローラ２２における処理は、図５のステップＳ１１からステップＳ１２に移行する。ステップＳ１２においては、図７に示すサブルーチンが呼び出される。
【００７１】
図７のステップＳ２０１において、吐水形態フラグＦｔｋ＝１（吐水ヘッド２を引き出した状態）と判断された後、ステップＳ２０２において、吐水温度目標値ｔｍが固定吐水温度ｔＭ（１）よりも高いと判断される。さらに、ステップＳ２０３においは、時刻ｔ６において止水された後、止水後時間ＴＳを経過していると判断され、ステップＳ２０４が実行される。ステップＳ２０４においては、吐水温度目標値ｔｍの値が、固定吐水温度ｔＭ（１）＝３８゜Ｃに変更される。
【００７２】
図７に示すサブルーチンが実行された後、コントローラ２２における処理は、図５のステップＳ１３に進み、吐止水モードフラグＦｐｍの値が１に設定されると共に、ステップＳ１４において電磁弁２０が開放され、吐水状態となる。
【００７３】
次いで、コントローラ２２における処理はステップＳ４に戻り、図６のサブルーチンが実行される。図６のステップＳ１１１において、コントローラ２２は温調バルブ１６に信号を送り、先に変更された吐水温度目標値ｔｍの値を吐水温度に反映させる。これにより、時刻ｔ８の吐水開始時において、吐水温度は、所定の固定吐水温度に自動的に変更される。なお、吐水流量目標値Ｑｍは変更されていないため、前回の止水時（時刻ｔ６）における流量が維持され、この流量で吐水が開始される。以後、各フラグ及び変数は変更されることなく、ステップＳ４→Ｓ５→Ｓ６→Ｓ７→Ｓ４の処理が繰り返される。
【００７４】
次いで、使用者は時刻ｔ９〜ｔ１０において、温調操作部１０を操作して、吐水温度を固定吐水温度ｔＭ（１）よりも低い温度に低下させると共に、時刻ｔ１０において流調操作部８を押圧操作して止水状態とする。これにより、各フラグ及び変数は変更されることなく、ステップＳ４→Ｓ５→Ｓ１１→Ｓ４の処理が繰り返されるようになる。
【００７５】
時刻ｔ１１において、止水後経過時間タイマーＴｓの積算時間が止水後時間ＴＳを超えた後、時刻ｔ１２において、使用者が流調操作部８を押圧操作すると、吐水状態となる。コントローラ２２における処理は、図５のステップＳ１１からステップＳ１２に移行し、図７に示すサブルーチンが実行される。
【００７６】
図７のステップＳ２０１において、吐水形態フラグＦｔｋ＝１（吐水ヘッド２を引き出した状態）と判断された後、ステップＳ２０２においては、吐水温度目標値ｔｍが固定吐水温度ｔＭ（１）よりも低いと判断される。これにより、ステップＳ２０４が実行されることなく図７に示すサブルーチンの処理が終了する。このように、本実施形態においては、固定吐水温度が規定されている吐水形態であっても、吐水条件を自動的に変更すると吐水温度が上昇する場合には、吐水条件の自動変更が禁止され、従前の吐水条件（時刻ｔ１０における吐水温度）が維持される。
以後、各フラグ及び変数は変更されることなく、ステップＳ４→Ｓ５→Ｓ６→Ｓ７→Ｓ４の処理が繰り返される。
【００７７】
次いで、使用者は時刻ｔ１３〜ｔ１４において、流調操作部８及び温調操作部１０を操作して、吐水流量を増加させると共に、吐水温度を固定吐水温度ｔＭ（１）よりも高い温度に上昇させる。さらに、使用者は時刻ｔ１４において流調操作部８を押圧操作して止水状態とする。これにより、各フラグ及び変数は変更されることなく、ステップＳ４→Ｓ５→Ｓ１１→Ｓ４の処理が繰り返されるようになる。一方、止水後経過時間タイマーＴｓは、止水後の経過時間を積算し始める。
【００７８】
次に、止水後経過時間タイマーＴｓの積算時間が止水後時間ＴＳを経過する前の時刻ｔ１５において使用者が流調操作部８を押圧操作すると、吐水状態となる。コントローラ２２における処理は、図５のステップＳ１１からステップＳ１２に移行し、図７に示すサブルーチンが実行される。
【００７９】
図７のステップＳ２０１において、吐水形態フラグＦｔｋ＝１（吐水ヘッド２を引き出した状態）と判断された後、ステップＳ２０２においては、吐水温度目標値ｔｍが固定吐水温度ｔＭ（１）よりも高いと判断され、ステップＳ２０３に進む。ステップＳ２０３においては、止水後経過時間タイマーＴｓの積算時間が止水後時間ＴＳを経過していないと判断され、図７に示すサブルーチンの処理が終了する。
【００８０】
これにより、ステップＳ２０４が実行されることなく図７に示すサブルーチンの処理が終了する。このように、本実施形態においては、固定吐水温度が規定されている吐水形態であっても、前回の止水（時刻ｔ１４）の後、所定の止水後時間ＴＳが経過していない場合には、吐水条件の自動変更が禁止され、従前の吐水条件（時刻ｔ１４における吐水温度）が維持される。
以後、各フラグ及び変数は変更されることなく、ステップＳ４→Ｓ５→Ｓ６→Ｓ７→Ｓ４の処理が繰り返される。
【００８１】
次に、時刻ｔ１６において、使用者が吐水ヘッド２を水栓本体６に装着すると、これを着脱センサ１４が検出し、コントローラ２２に検出信号を送る。この検出信号は、図６のステップＳ１０１において処理され、ステップＳ１０３により吐水形態フラグＦｔｋの値が０に変更される。以後、各フラグ及び変数は変更されることなく、ステップＳ４→Ｓ５→Ｓ６→Ｓ７→Ｓ４の処理が繰り返される。
【００８２】
さらに、使用者は、時刻ｔ１７において流調操作部８を押圧操作して止水状態とする。これにより、各フラグ及び変数は変更されることなく、ステップＳ４→Ｓ５→Ｓ１１→Ｓ４の処理が繰り返されるようになる。
【００８３】
時刻ｔ１８において、止水後経過時間タイマーＴｓの積算時間が止水後時間ＴＳを超えた後、時刻ｔ１９において、使用者が流調操作部８を押圧操作すると、吐水状態となる。コントローラ２２における処理は、図５のステップＳ１１からステップＳ１２に移行し、図７に示すサブルーチンが実行される。
【００８４】
図７のステップＳ２０１において、吐水形態フラグＦｔｋ＝０（吐水ヘッド２を装着した状態）と判断されるので、ステップＳ２０４が実行されることなく図７に示すサブルーチンの処理が終了する。このように、本実施形態においては、固定吐水温度が規定されていない吐水形態である場合には、吐水条件の自動変更は行われず、従前の吐水条件（時刻ｔ１７における吐水温度）が維持される。
【００８５】
本発明の第１実施形態の水栓装置によれば、２つの吐水形態のうちの吐水ヘッドを引き出した状態について、固定された吐水温度で吐水が開始されるので、吐水温度を調整することがあまりない吐水ヘッドの引き出し状態については、常に適温で吐水を開始させることができると共に、様々な用途に応じて吐水温度を調整して使用することを前提とする吐水ヘッドの装着状態については、前回調整した温度で吐水を再開することができる。
【００８６】
また、本実施形態の水栓装置によれば、前回の止水後、所定時間内に吐水が再開された場合には前回の止水時における吐水温度で吐水が開始されるので、吐水温度を調整することが稀な吐水ヘッドの引き出し状態についても、使用者が調整した吐水温度で吐水を再開することができると共に、止水後所定時間以上経過して、使用者が交代したことが想定される場合には、適温で吐水を開始させることができる。
【００８７】
さらに、本実施形態の水栓装置によれば、固定吐水温度が前回の止水時における吐水温度よりも高い場合には、吐水条件の自動変更を行わないので、使用者が意図しない高温で吐水されることがなく、無駄なエネルギーの消費を抑えることができる。また、使用者が意図しない高温で吐水されることがないので、不意に高温の吐水が開始される不具合を防止することができる。
【００８８】
また、本実施形態の水栓装置によれば、吐水部を引き出した状態において、不意に高温の吐水が為されるのを防止することができるので、高温の吐水を浴びるのを防止することができる。
【００８９】
上述した本発明の第１実施形態による水栓装置においては、吐水ヘッドを引き出した吐水形態における吐水温度に固定吐水温度が規定されていたが、変形例として、固定吐水温度に代えて、又は、固定吐水温度に加えて、吐水流量に固定吐水流量を規定することもできる。
【００９０】
図９は、本変形例において使用されるサブルーチンのフローチャートを示す。図９に示すサブルーチンは、図７に示すサブルーチンに代えて、図５に示すフローチャートのステップＳ１２において呼び出されるサブルーチンである。第１変形例による水栓装置は、コントローラ２２における処理を、このように変更することにより実現することができる。
【００９１】
次に、本発明の実施形態の第１変形例による水栓装置の作用を説明する。
まず、図９のステップＳ４０１においては、吐水形態フラグＦｔｋの値が判断される。Ｆｔｋ＝１、即ち、吐水ヘッド２が水栓本体６から引き出されている場合にはステップＳ４０２に進み、Ｆｔｋ＝０、即ち、吐水ヘッド２が水栓本体６に装着されている場合には図９に示すサブルーチンの処理を終了する。
【００９２】
次に、ステップＳ４０２においては、固定吐水流量ＱＭ（１）と吐水流量目標値Ｑｍの値が比較される。固定吐水流量ＱＭ（１）が吐水流量目標値Ｑｍよりも少ない場合にはステップＳ４０３に進み、多い場合には図９に示すサブルーチンの処理を終了する。このように、本変形例においては、固定吐水流量が、従前の吐水流量である吐水流量目標値Ｑｍよりも少ない場合には、吐水流量目標値Ｑｍの固定吐水流量への変更を行うが、変更により吐水流量が増加する場合には、従前の吐水条件が維持される。
【００９３】
次に、ステップＳ４０３においては、止水後経過時間タイマーＴｓの積算値が、所定の止水後時間ＴＳを経過しているか否かが判定される。止水後時間ＴＳが経過していない場合にはステップＳ４０４に進み、経過している場合には図９に示すサブルーチンの処理を終了する。
次に、ステップＳ４０４においては、吐水流量目標値Ｑｍが固定吐水流量ＱＭ（１）に変更される。これにより、吐水流量が自動的に規定の値に変更される。
【００９４】
本変形例の水栓装置によれば、吐水ヘッドを引き出した吐水形態における吐水流量に固定吐水流量が規定され、所定の止水後時間を経過している場合には、固定吐水流量による吐水が開始される。
本変形例の水栓装置によれば、吐水部を引き出した状態において、不意に大流量が吐水されるのを防止することができるので、水跳ねを防止することができる。
【００９５】
さらに、本変形例の水栓装置によれば、固定吐水流量が前回の止水時における吐水流量よりも多い場合には、吐水流量の自動変更を行わないので、使用者が意図しない大流量で吐水されることがなく、水の無駄な消費を防止することができる。また、使用者が意図しない大流量で吐水されることがないので、不意に大流量で吐水が開始されることによる水跳ね等を防止することができる。
【００９６】
次に、図１０乃至図１４を参照して、本発明の第２実施形態による水栓装置を説明する。本実施形態の水栓装置は、吐水ヘッドが回転式である点、及びコントローラにおける制御を除き、上述した第１実施形態による水栓装置と同様である。従って、ここでは本実施形態による水栓装置の第１実施形態とは異なる点のみを説明し、同様の点については説明を省略する。
【００９７】
図１０及び図１１は、本発明の第２実施形態による水栓装置の斜視図である。図１２は、本実施形態による水栓装置の作用を示すタイムチャートである。また、図１３及び図１４は、本実施形態の水栓装置におけるコントローラによる制御のフローチャートである。
【００９８】
図１０及び図１１に示すように、本発明の第２実施形態による水栓装置１００は、吐水口１０２ａが設けられた吐水部である吐水ヘッド１０２と、洗面ボウル４に取り付けられた水栓本体１０６と、洗面ボウル４に配置された操作部である流調操作部８及び温調操作部１０と、洗面ボウル４の下側に配置された水栓装置機能部１２と、を有する。さらに、水栓本体１０６には、人体検知センサ１０８が内蔵されており、洗面ボウル４の近傍に使用者が居るか否かを検知することができる。人体検知センサとして、赤外線センサやマイクロ波センサを使用することができる。
【００９９】
本実施形態による水栓装置１００は、水栓本体１０６の先端に設けられた吐水ヘッド１０２が、所定の軸線を中心に回転可能に構成されており、図１０に示す吐水口１０２ａを下方に向けた吐水形態と、図１１に示す吐水口１０２ａを上方に向けた吐水形態との間で、吐水口１０２ａを移動させることができる。このように、吐水口１０２ａを上方に向けることにより、眼の洗浄等を容易に行うことができる。
【０１００】
なお、本実施形態の水栓装置１００おいては、２つの吐水形態のうちの１つである吐水口１０２ａを上方に向けた状態に対して、固定された吐水条件である固定吐水温度が規定されており、この吐水形態に対しては、所定の固定吐水温度により吐水が開始される。また、以下に説明するように、所定の場合には、吐水温度の固定吐水温度への自動変更が禁止される。
【０１０１】
次に、図１２乃至図１４を参照して、本実施形態の水栓装置におけるコントローラによる制御を説明する。
図１２は、上段から順に、吐水温度、人体検知センサの検出信号、吐止水モードフラグＦｐｍの値、人体検知フラグＦｓの値、吐水形態フラグＦｔｋの値を示したタイムチャートである。図１３は、水栓装置機能部１２に内蔵されたコントローラ２２による制御のフローチャートである。図１４は、図１３のフローチャートから呼び出されるサブルーチンのフローチャートである。
【０１０２】
まず、図１３のステップＳ５０１において電源が投入されると、ステップＳ５０２において、電磁弁２０がＯＦＦ、即ち閉鎖される。さらに、ステップＳ５０３においては、各変数、フラグの初期値が設定される。即ち、吐止水モードフラグＦｐｍの値を止水状態を表す０に、吐水形態フラグＦｔｋの値を吐水口１０２ａが下方に向けられた状態を表す０に、人体検知フラグＦｓの値を０に夫々設定する。さらに、吐水流量目標値Ｑｍを３Ｌ／ｍｉｎに設定する。また、吐水温度目標値ｔｍ及び吐水口１０２ａを上方に向けた状態における固定吐水温度ｔＭ（１）を夫々３８゜Ｃに設定する。さらに、吐水口１０２ａを下方に向けた状態における吐水流量上限値ＱＬ（０）を１０Ｌ／ｍｉｎに、吐水口１０２ａを上方に向けた状態における吐水流量上限値ＱＬ（１）を６Ｌ／ｍｉｎに設定する。また、吐水口１０２ａを下方に向けた状態における吐水温度上限値ｔＬ（０）を６０゜Ｃに、吐水口１０２ａを上方に向けた状態における吐水温度上限値ｔＬ（１）を４０゜Ｃに設定する。
なお、本実施形態における固定吐水温度は、上方に向けた状態の吐水形態に対応した固定された吐水条件である。
【０１０３】
続くステップＳ５０４以下、水栓装置１の電源投入後、流調操作部８が押圧操作されて吐水が開始されるまでの止水状態においては、図１３のステップＳ５０４→Ｓ５０５→Ｓ５１４→Ｓ５１５→Ｓ５１６→Ｓ５０４の処理が繰り返される。
【０１０４】
一方、止水状態において、流調操作部８が押圧操作されると、コントローラ２２における処理はステップＳ５１６からステップＳ５１７に移行し、ステップＳ５１７→Ｓ５１８→Ｓ５１９の処理が実行されて吐水状態となる。以後、吐水状態において流調操作部８が押圧操作されるまでは、ステップＳ５０４→Ｓ５０５→Ｓ５０６→Ｓ５０７→Ｓ５０８→Ｓ５０９→Ｓ５０４の処理が繰り返される。
吐水状態において流調操作部８が押圧操作されると、コントローラ２２における処理はステップＳ５０９からステップＳ５１０に移行し、ステップＳ５１０→Ｓ５１１→Ｓ５１２→Ｓ５１３の処理が実行されて再び止水状態となる。
【０１０５】
なお、図１３のステップＳ５０４においては、第１実施形態において説明した図６に示す吐水目標設定サブルーチンが実行され、ステップＳ５１７においては図１４に示す吐水開始条件設定サブルーチンが実行され、ステップＳ５０８においては第１実施形態において説明した図８に示す流量温度調整サブルーチンが実行される。
【０１０６】
ただし、本実施形態では、図６のステップＳ１０１において、吐水口１０２ａが上方に向けられているか、下方に向けられているかがが判断される。吐水口１０２ａが上方に向けられている場合には、ステップＳ１０２に進み吐水形態フラグＦｔｋの値が１にされ、下方に向けられている場合には、ステップＳ１０３に進んで吐水形態フラグＦｔｋの値が０にされる。
【０１０７】
まず、図１２の時刻ｔ１００においては、吐水口１０２ａは上方に向けられているため、ステップＳ１０２において吐水形態フラグＦｔｋの値が上方に向けられた状態を表す１にされる。
次に、時刻ｔ１０１において、人体検知センサ１０８が、使用者が洗面ボウル４に近づいたことを検知し、人体検知センサ１０８からの信号が、人体検知中を表す１に変化する。
【０１０８】
さらに、時刻ｔ１０２において、流調操作部８が押圧操作されると、上述したように、コントローラ２２における処理は、図１３のステップＳ５１６からステップＳ５１７に移行し、ステップＳ５１７においては、図１４に示す吐水開始条件設定サブルーチンが呼び出される。
【０１０９】
まず、図１４のステップＳ６０１においては、吐水形態フラグＦｔｋの値が判断される。Ｆｔｋ＝１、即ち、吐水口１０２ａが上方に向けられている場合にはステップＳ６０２に進み、Ｆｔｋ＝０、即ち、吐水口１０２ａが下方に向けられている場合には図１４に示すサブルーチンの処理を終了する。本実施形態においては、２つの吐水形態のうちの１つである吐水口１０２ａを上方に向けた状態においては、メモリ２２に記憶され固定された吐水条件である固定吐水温度への変更を行うが、吐水口１０２ａが下方に向けられた状態においては、従前の吐水条件が維持される。
【０１１０】
次に、ステップＳ６０２においては、固定吐水温度ｔＭ（１）と吐水温度目標値ｔｍの値が比較される。固定吐水温度ｔＭ（１）が吐水温度目標値ｔｍよりも低い場合にはステップＳ６０３に進み、高い場合には図１４に示すサブルーチンの処理を終了する。このように、本実施形態においては、固定吐水温度が、従前の吐水温度である吐水温度目標値ｔｍよりも低い場合には、吐水温度目標値ｔｍの固定吐水温度への変更を行うが、変更により吐水温度が上昇する場合には、従前の吐水条件が維持される。
【０１１１】
次に、ステップＳ６０３においては、人体検知フラグＦｓの値が判定される。人体検知フラグＦｓ＝０の場合にはステップＳ６０４に進み、Ｆｓ＝１の場合には図１４に示すサブルーチンの処理を終了する。このように、本実施形態においては、人体検知の有無、及び所定の条件で値が変更される人体検知フラグＦｓの値に基づいて、吐水温度目標値ｔｍを固定吐水温度に変更するか否かが判断される。
【０１１２】
次に、ステップＳ６０４においては、吐水温度目標値ｔｍが固定吐水温度ｔＭ（１）に変更される。これにより、吐水温度が自動的に規定の値に変更される。なお、図１２の時刻ｔ１０２においては、人体検知フラグＦｓ＝０であるので、吐水の自動変更は行われない。
【０１１３】
図１３のステップＳ５１７から呼び出される図１４のサブルーチンの処理が終了すると、処理は、図１３のステップＳ５１８に移行する。ステップＳ５１８においては、吐止水モードフラグＦｐｍの値が、吐水状態を表す値１にセットされる。さらに、ステップＳ５１９においては、コントローラ２２は、電磁弁２０に信号を送り、これを開放させる。これにより、図１２の時刻ｔ１０２において、吐水が開始される。
【０１１４】
次いで、コントローラ２２における処理は、ステップＳ５０４に戻り、図６のサブルーチンが実行され、図１４のサブルーチンにおいて設定された吐水温度目標値ｔｍに温調バルブ１６が制御される。
【０１１５】
さらに、コントローラ２２による処理は、図１３のステップＳ５０５に移行する。
ステップＳ５０５においては、吐水状態か否か、即ち、吐止水モードフラグＦｐｍの値が判断される。図１２の時刻ｔ１０２においては、吐止水モードフラグＦｐｍ＝１であるので、ステップＳ５０６に進む。
【０１１６】
次に、ステップＳ５０６においては、吐水形態フラグＦｔｋの値が判断される。吐水形態フラグＦｔｋ＝０の場合には、ステップＳ５０７に進み、人体検知フラグＦｓの値が１にされる。図１２の時刻ｔ１０２においては、吐水形態フラグＦｔｋ＝１であるので、ステップＳ５０７を実行することなくステップＳ５０８に進む。従って、人体検知フラグＦｓの値は、０のまま維持される。
【０１１７】
次に、ステップＳ５０８においては、図８に示す流量温度調整サブルーチンが呼び出される。図８に示すサブルーチンにおける処理は、第１実施形態と同様であるので説明を省略する。
【０１１８】
図１３のステップＳ５０８の処理が実行された後、コントローラ２２による処理は、ステップＳ５０９に移行する。時刻ｔ１０２の後、流調操作部８が押圧操作されるまでは、ステップＳ５０４からＳ５０９に進み、ステップＳ５０４に戻る処理が繰り返される。また、これらのステップの処理を繰り返す間、使用者により吐水口１０２ａが下方に向けられると、吐水形態フラグＦｔｋの値が０に変更され、人体検知フラグＦｓの値は１に変更される。
【０１１９】
次に、図１２の時刻ｔ１０３〜ｔ１０４の間に、使用者が温調操作部１０を回転操作すると、図８に示す流量温度調整サブルーチンの処理により、吐水温度が変更される。
【０１２０】
次に、図１２の時刻ｔ１０５において、使用者が流調操作部８を押圧操作すると、コントローラ２２における処理は、図１３のステップＳ５０９からステップＳ５１０に移行する。ステップＳ５１０においては、吐水形態フラグＦｔｋの値が判断され、吐水形態フラグＦｔｋ＝１である場合にはステップＳ５１１に進んで、人体検知フラグＦｓの値が１にされる。また、吐水形態フラグＦｔｋ＝０である場合には、ステップＳ５１１を実行することなくステップＳ５１２に進む。時刻ｔ１０５においては、吐水形態フラグＦｔｋ＝１であるので、人体検知フラグＦｓの値が１に変更される。
【０１２１】
ステップＳ５１２においては、吐止水モードフラグＦｐｍの値が０にされる。さらに、ステップＳ５１３においては、コントローラ２２は、電磁弁２０に信号を送ってこれを閉鎖させ、止水状態とする。ステップＳ５１３の処理後、コントローラ２２における処理は、ステップＳ５０４に戻る。
【０１２２】
図１２の時刻ｔ１０５における使用者による止水操作の後、コントローラ２２における処理は、ステップＳ５０４→Ｓ５０５→Ｓ５１４に進む。ステップＳ５１４においては、人体検知中であり、且つ人体検知フラグＦｓ＝１であるか否かが判断される。時刻ｔ１０５の後、人体検知中であり、且つ人体検知フラグＦｓ＝１の状態が維持されるので、人体検知フラグＦｓの値は１のまま維持される。
【０１２３】
時刻ｔ１０６において、使用者が流調操作部８を押圧操作すると、コントローラ２２における処理は、図１３のステップＳ５１６からステップＳ５１７に移行する。ステップＳ５１７においては、図１４に示すサブルーチンが呼び出される。
【０１２４】
図１４のステップＳ６０１において、吐水形態フラグＦｔｋ＝１（吐水口１０２ａが上方に向けられた状態）と判断された後、ステップＳ６０２において、吐水温度目標値ｔｍが固定吐水温度ｔＭ（１）よりも高いと判断される。さらに、ステップＳ６０３においは、人体検知フラグＦｓ＝１であると判断され、ステップＳ６０４を実行することなく、図１４のサブルーチンの処理を終了する。このように、本実施形態においては、直前の止水操作の後、人体が検知されている状態が続いている場合には、同一の使用者が水栓装置の使用を続けていると判断して、吐水温度目標値ｔｍを固定吐水温度ｔＭ（１）に自動変更することなく、従前の吐水温度が維持される。
【０１２５】
次いで、コントローラ２２における処理は、図１３のステップＳ５１７からステップＳ５１８に移行する。ステップＳ５１８においては、吐止水モードフラグＦｐｍの値が１にされ、続くステップＳ５１８においては、電磁弁２０が開放され、従前の吐水温度による吐水が開始される。
【０１２６】
図１２の時刻ｔ１０６において吐水が開始された後、各フラグ及び変数は変更されることなく、ステップＳ５０４→Ｓ５０５→Ｓ５０６→Ｓ５０８→Ｓ５０９→Ｓ５０４の処理が繰り返される。
【０１２７】
次に、図１２の時刻ｔ１０７において、流調操作部８が押圧操作されると、コントローラ２２における処理は、図１３のステップＳ５０９からステップＳ５１０に移行し、ステップＳ５１１、Ｓ５１２、Ｓ５１３を経て止水状態となる。以後、各フラグ及び変数は変更されることなく、ステップＳ５０４→Ｓ５０５→Ｓ５１４→Ｓ５１６→Ｓ５０４の処理が繰り返されるようになる。
【０１２８】
次に、時刻ｔ１０８において、使用者が洗面ボウル４の近傍から離れ、人体検知センサ１０８からの信号が０になると、コントローラ２２における処理は、図１３のステップＳ５１４からステップＳ５１５に進み、ステップＳ５１５において人体検知フラグＦｓの値が０にされる。以後、各フラグ及び変数は変更されることなく、ステップＳ５０４→Ｓ５０５→Ｓ５１４→Ｓ５１５→Ｓ５１６→Ｓ５０４の処理が繰り返されるようになる。
【０１２９】
さらに、図１２の時刻ｔ１０９において、使用者が洗面ボウル４の近傍に近づくと、人体検知センサ１０８からの信号が、人体検知中を表す１に変化する。しかしながら、人体検知フラグＦｓ＝０であるため、コントローラ２２においては、依然として、ステップＳ５０４→Ｓ５０５→Ｓ５１４→Ｓ５１５→Ｓ５１６→Ｓ５０４の処理が繰り返される。
【０１３０】
次に、図１２の時刻ｔ１１０において、流調操作部８が押圧操作されると、コントローラ２２における処理は、図１３のステップＳ５１６からステップＳ５１７に移行し、ステップＳ５１７、Ｓ５１８、Ｓ５１９を経て吐水状態となる。
【０１３１】
ここで、ステップＳ５１７において呼び出される図１４に示すサブルーチンでは、ステップＳ６０１→Ｓ６０２→Ｓ６０３→Ｓ６０４の順に処理が進み、ステップＳ６０４において、吐水温度目標値ｔｍが固定吐水温度ｔＭ（１）に自動変更される。これにより、時刻ｔ１１０においては、固定吐水温度ｔＭ（１）＝３８゜Ｃで吐水が開始される。このように、本実施形態においては、吐水口１０２ａを上方に向けた吐水形態に対して固定吐水温度ｔＭ（１）が規定されているので、この吐水形態である場合（ステップＳ６０１において判断）において、吐水温度目標値ｔｍが固定吐水温度ｔＭ（１）よりも高く（Ｓ６０２において判断）、且つ、前回の吐水終了後、人体の検知が一旦途切れている場合（Ｓ６０３において判断）に、吐水温度目標値ｔｍが固定吐水温度ｔＭ（１）に自動変更される。
【０１３２】
次いで、図１２の時刻ｔ１１１〜ｔ１１２の間に、使用者が温調操作部１０を回転操作すると、ステップＳ５０８において呼び出される図８に示す流量温度調整サブルーチンの処理により、吐水温度が上昇される。
【０１３３】
時刻ｔ１１２の後、コントローラ２２においては、ステップＳ５０４→Ｓ５０５→Ｓ５０６→Ｓ５０８→Ｓ５０９→Ｓ５０４の処理が繰り返される。次いで、時刻ｔ１１３において、吐水口１０２ａを下方に向けると、ステップＳ５０４から呼び出される図６に示すサブルーチンのステップＳ１０２において、吐水形態フラグＦｔｋの値が０に変更される。吐水形態フラグＦｔｋの値が０に変更されると、コントローラ２２においては、ステップＳ５０４→Ｓ５０５→Ｓ５０６→Ｓ５０７→Ｓ５０８→Ｓ５０９→Ｓ５０４の処理が繰り返されるようになる。これにより、人体検知フラグＦｓの値が１に変更される。
【０１３４】
次に、図１２の時刻ｔ１１４において、流調操作部８が押圧操作されると、コントローラ２２における処理は、図１３のステップＳ５０９からステップＳ５１０に移行し、ステップＳ５１０、Ｓ５１２、Ｓ５１３を経て止水状態となる。以後、各フラグ及び変数は変更されることなく、ステップＳ５０４→Ｓ５０５→Ｓ５１４→Ｓ５１６→Ｓ５０４の処理が繰り返されるようになる。
【０１３５】
次に、時刻ｔ１１５において、使用者が洗面ボウル４の近傍から離れ、人体検知センサ１０８からの信号が０になると、コントローラ２２における処理は、図１３のステップＳ５１４からステップＳ５１５に進み、ステップＳ５１５において人体検知フラグＦｓの値が０にされる。以後、各フラグ及び変数は変更されることなく、ステップＳ５０４→Ｓ５０５→Ｓ５１４→Ｓ５１５→Ｓ５１６→Ｓ５０４の処理が繰り返されるようになる。
【０１３６】
さらに、図１２の時刻ｔ１１６において、使用者が洗面ボウル４の近傍に近づくと、人体検知センサ１０８からの信号が、人体検知中を表す１に変化する。しかしながら、人体検知フラグＦｓ＝０であるため、コントローラ２２においては、依然として、ステップＳ５０４→Ｓ５０５→Ｓ５１４→Ｓ５１５→Ｓ５１６→Ｓ５０４の処理が繰り返される。
【０１３７】
次に、図１２の時刻ｔ１１７において、流調操作部８が押圧操作されると、コントローラ２２における処理は、図１３のステップＳ５１６からステップＳ５１７に移行し、ステップＳ５１７、Ｓ５１８、Ｓ５１９を経て吐水状態となる。
【０１３８】
ここで、ステップＳ５１７において呼び出される図１４に示すサブルーチンでは、ステップＳ６０１のみが実行され、ステップＳ６０２、Ｓ６０３、Ｓ６０４が実行されることなく、処理が図１３に示すメインルーチンに復帰する。このように、本実施形態においては、吐水口１０２ａを下方に向けた吐水形態に対しては固定吐水温度が規定されていないため、この吐水形態である場合（ステップＳ６０１において判断）には、吐水温度目標値ｔｍの自動変更は行われず、従前の吐水温度目標値ｔｍによる吐水が開始される。
【０１３９】
続いて、図１２の時刻ｔ１１８において、流調操作部８が押圧操作されると、止水状態にされると共に、吐止水モードフラグＦｐｍの値が０にされる（ステップＳ５１２）。さらに、時刻ｔ１１９において、使用者が洗面ボウル４から離れると、人体検知フラグＦｓの値が０にされる（ステップＳ５１５）。
【０１４０】
本発明の第２実施形態の水栓装置によれば、吐水口が上方に向けられた状態において、高温の吐水が為されるのを防止することができるので、高温の吐水を浴びるのを防止することができる。
【０１４１】
また、本発明の第２実施形態の水栓装置によれば、前回の止水後、人体検知センサが人体を検知し続けている場合には前回の止水時における吐水温度で吐水が開始されるので、吐水温度を調整することが稀な吐水口を上方に向けた状態についても、使用者が調整した吐水温度で吐水を再開することができると共に、止水後、人体検知センサが一旦人体を検知しなくなり、使用者が交代したことが想定される場合には、適温で吐水を開始させることができる。
【０１４２】
次に、図１５乃至図１８を参照して、上述した第２実施形態の水栓装置の変形例を説明する。ここでは、本変形例の、第２実施形態とは異なる点のみを説明する。図１５は、本変形例の作用を示すタイムチャートである。図１６は、本変形例のメインルーチンのフローチャートであり、図１７及び図１８は、図１６のメインルーチンから呼び出されるサブルーチンのフローチャートである。
まず、図１５の時刻ｔ２００において、電源が投入されると、図１６のステップＳ７０２、Ｓ７０３が実行された後、ステップＳ７０４→Ｓ７０５→Ｓ７１５→Ｓ７１６→Ｓ７１７→Ｓ７０４の処理が繰り返される。ステップＳ７０４→Ｓ７０５→Ｓ７１５→Ｓ７１６→Ｓ７１７→Ｓ７０４における処理は、第２実施形態におけるステップＳ５０４→Ｓ５０５→Ｓ５１４→Ｓ５１５→Ｓ５１６→Ｓ５０４における処理と同一である。一方、本変形例においては、直前吐水形態フラグＦｔｋｐが使用され、ステップＳ７０３において、Ｆｔｋｐの値が０に初期設定される。
【０１４３】
次いで、図１５の時刻ｔ２０１において吐水操作がなされると、処理は、ステップＳ７１７からステップＳ７１８に移行し、以後、ステップＳ７１９、Ｓ７２０が実行されて吐水状態となる。ステップＳ７１８〜ステップＳ７２０における処理は、第２実施形態のステップＳ５１７〜Ｓ５１９における処理と同様であるが、ステップＳ７１８においては、図１４のサブルーチンに代えて、図１７に示すサブルーチンが呼び出される。図１７に示すサブルーチンは、図１４に示すサブルーチンに、ステップＳ８０５、Ｓ８０６の処理を追加したものであり、これらのステップにおける処理は後述する。
【０１４４】
図１５の時刻ｔ２０１において吐水状態にされると、以後、ステップＳ７０４→Ｓ７０５→Ｓ７０６→Ｓ７０９→Ｓ７１０→Ｓ７０４の処理が繰り返される。ステップＳ７０４〜ステップＳ７１０における処理は、ステップＳ７０６、Ｓ７０７において直前吐水形態フラグＦｔｋｐの値が判断される点が、第２実施形態のステップＳ５０４〜Ｓ５０９とは異なる。また、ステップＳ７０９においては、図８のサブルーチンに代えて、図１８に示すサブルーチンが呼び出される。図１８に示すサブルーチンは、図８に示すサブルーチンに、ステップＳ９０７の処理を追加したものであり、このステップにおける処理は後述する。
【０１４５】
次に、図１５の時刻ｔ２０２〜ｔ２０３においては、使用者が温調操作を行って初期の設定温度３８゜Ｃを低下させる。この操作は、図１６のステップＳ７０９から呼び出される図１８に示すサブルーチンにおいて処理される。
ステップＳ９０１〜Ｓ９０６においては、使用者の温調操作に従って吐水温度目標値ｔｍの値が減少される。ステップＳ９０１〜Ｓ９０６にける処理は、図８のサブルーチンにおけるＳ３０１〜Ｓ３０６と同様であるので、詳細な説明は省略する。最後に、ステップＳ９０７において、吐水温度目標値ｔｍの値が、変数ｔｍ（Ｆｔｋ）、即ちｔｍ（０）に記憶される。
【０１４６】
次に、時刻ｔ２０３において、使用者が吐水口１０２ａを上方に向けると、図１６のステップＳ７０４から呼び出される図６に示すサブルーチンにおいて、吐水形態フラグＦｔｋが１に変更される。さらに、吐水形態フラグＦｔｋが１に変更されると、図１６のステップＳ７０６からＳ７０７に処理が移行するようになる。ステップＳ７０７においては、直前吐水形態フラグＦｔｋｐの値が０か否かが判断される。時刻ｔ２０３においては、Ｆｔｋｐ＝０であるので、処理はステップＳ７０８に進み、人体検知フラグＦｓ＝１にされる。以後、ステップＳ７０４→Ｓ７０５→Ｓ７０６→Ｓ７０７→Ｓ７０８→Ｓ７０９→Ｓ７１０→Ｓ７０４の処理が繰り返される。
【０１４７】
次に、時刻ｔ２０４において、使用者が止水操作をすると、処理は、図１６のステップＳ７１０からＳ７１１に移行し、さらに、ステップＳ７１１→Ｓ７１２→Ｓ７１３に進む。ステップＳ７１３においては、まず、吐水形態フラグＦｔｋの値が、直前吐水形態フラグＦｔｋｐに代入される。即ち、直前吐水形態フラグＦｔｋｐの値が１に変更される。さらに、吐止水モードフラグＦｐｍの値が０にされる。以後、ステップＳ７０４→Ｓ７０５→Ｓ７１５→Ｓ７１７→Ｓ７０４の処理が繰り返される。
【０１４８】
続いて、時刻ｔ２０５において、使用者が水栓装置から離れると、人体検知センサ１０８からの信号が０になると、処理は、ステップＳ７１５からステップＳ７１６に移行するようになり、ステップＳ７１６において、人体検知フラグＦｓ＝０にされる。以後、ステップＳ７０４→Ｓ７０５→Ｓ７１５→Ｓ７１６→Ｓ７１７→Ｓ７０４の処理が繰り返される。
【０１４９】
次に、時刻ｔ２０６において、使用者が再び水栓装置に近づき、吐水操作を行うと、人体検知センサ１０８の信号が１に変化すると共に、処理は、ステップＳ７１７からステップＳ７１８に移行する。次いで、ステップＳ７１８から呼び出される図１７に示すサブルーチンのステップＳ８０４において、吐水温度目標値ｔｍが、固定吐水温度ｔＭ（１）＝３８゜Ｃに自動変更される。以後、ステップＳ７０４→Ｓ７０５→Ｓ７０６→Ｓ７０９→Ｓ７１０→Ｓ７０４の処理が繰り返される。
【０１５０】
さらに、使用者は、時刻ｔ２０６〜ｔ２０７において、温調操作をして吐水温度目標値ｔｍを低下させる。次いで、時刻ｔ２０７において、使用者が止水操作をすると、処理は、ステップＳ７１０からステップＳ７１１に移行する。さらに、ステップＳ７１２おいて、人体検知フラグＦｓ＝１に変更される。以後、ステップＳ７０４→Ｓ７０５→Ｓ７１５→Ｓ７１７→Ｓ７０４の処理が繰り返される。
【０１５１】
次に、時刻ｔ２０８において、使用者が吐水操作を行うと、処理は、ステップＳ７１７からステップＳ７１８に移行する。次いで、ステップＳ７１８から呼び出される図１７に示すサブルーチンにおいて、処理は、ステップＳ８０２からステップＳ８０６に移行し、吐水温度目標値ｔｍには、記憶されているｔｍ（Ｆｔｋｐ）の値、即ち、時刻ｔ２０７における設定温度が代入される。以後、ステップＳ７０４→Ｓ７０５→Ｓ７０６→Ｓ７０９→Ｓ７１０→Ｓ７０４の処理が繰り返される。
【０１５２】
次に、時刻ｔ２０９において、使用者が吐水口１０２ａを下方に向けると、図１６のステップＳ７０４から呼び出される図６に示すサブルーチンにおいて、吐水形態フラグＦｔｋが０に変更される。さらに、吐水形態フラグＦｔｋが０に変更されると、図１６のステップＳ７０６からＳ７０７に処理が移行するようになる。ステップＳ７０７においては、直前吐水形態フラグＦｔｋｐの値が０か否かが判断される。時刻ｔ２０９においては、Ｆｔｋｐ＝１であるので、処理はステップＳ７０９に進む。以後、ステップＳ７０４→Ｓ７０５→Ｓ７０６→Ｓ７０７→Ｓ７０９→Ｓ７１０→Ｓ７０４の処理が繰り返される。
【０１５３】
次いで、時刻ｔ２０９〜ｔ２１０において、使用者は、温調操作をして、設定温度を４０゜Ｃよりも高くする。続いて、時刻ｔ２１０において、使用者が吐水口１０２ａを上方に向けると、図１６のステップＳ７０４から呼び出される図６に示すサブルーチンのステップＳ１０７において、吐水温度目標値ｔｍが、吐水口１０２ａを上方に向けた状態における吐水温度上限値ｔＬ（１）＝４０゜Ｃに自動変更される。以後、ステップＳ７０４→Ｓ７０５→Ｓ７０６→Ｓ７０７→Ｓ７０９→Ｓ７１０→Ｓ７０４の処理が繰り返される。
【０１５４】
さらに、時刻ｔ２１１において、使用者が吐水口１０２ａを下方に向けると、図１６のステップＳ７０４から呼び出される図６に示すサブルーチンのステップＳ１０３において、Ｆｔｋ＝０に変更される。以後、ステップＳ７０４→Ｓ７０５→Ｓ７０６→Ｓ７０７→Ｓ７０９→Ｓ７１０→Ｓ７０４の処理が繰り返される。続いて、時刻ｔ２１１〜ｔ２１２において、使用者は、温調操作をして、設定温度を４０゜Ｃよりも高くする。
【０１５５】
次に、時刻ｔ２１２において、使用者が止水操作をすると、処理は、図１６のステップＳ７１０からＳ７１１に移行し、ステップＳ７１３において直前吐水形態フラグＦｔｋｐの値が０に、吐止水モードフラグＦｐｍの値が０に変更される。以後、ステップＳ７０４→Ｓ７０５→Ｓ７１５→Ｓ７１７→Ｓ７０４の処理が繰り返される。
【０１５６】
続いて、時刻ｔ２１３において、使用者が吐水口１０２ａを上方に向けると、図１６のステップＳ７０４から呼び出される図６に示すサブルーチンのステップＳ１０３において、Ｆｔｋ＝１に変更される。さらに、ステップＳ１０７において、吐水温度目標値ｔｍが、吐水口１０２ａを上方に向けた状態における吐水温度上限値ｔＬ（１）＝４０゜Ｃに自動変更される。ただし、時刻ｔ２１３においては、止水中であるので、この温度の湯水が吐出されることはない。
【０１５７】
次に、時刻ｔ２１４において、使用者が吐水口１０２ａを再び下方に向けると、図６に示すサブルーチンのステップＳ１０３において、Ｆｔｋ＝０に変更される。続いて、時刻ｔ２１５において、使用者が吐水操作を行うと、処理は、ステップＳ７１７からステップＳ７１８に移行する。次いで、ステップＳ７１８から呼び出される図１７に示すサブルーチンにおいて、処理は、ステップＳ８０１からステップＳ８０６に移行する。ステップＳ８０６において、吐水温度目標値ｔｍには、記憶されていたｔｍ（Ｆｔｋｐ）の値、即ち、時刻ｔ２１２における設定温度が代入される。このように、時刻ｔ２１３にける止水中の吐水形態の変更に伴う吐水温度目標値ｔｍの自動変更は無視され、前回止水が行われた時刻ｔ２１２における設定温度により吐水が再開される。以後、ステップＳ７０４→Ｓ７０５→Ｓ７０６→Ｓ７０９→Ｓ７１０→Ｓ７０４の処理が繰り返される。
【０１５８】
本変形例の水栓装置においては、止水状態における吐水形態の変更は無視され、前回の止水時、及び吐水開始時の吐水形態に基づいて、適切な温度の選択が行われる。
【０１５９】
以上、本発明の好ましい実施形態を説明したが、上述した実施形態に種々の変更を加えることができる。特に、上述した実施形態においては、吐水形態の変更として、吐水ヘッドの装着、引き出し、及び吐水ヘッドの回転を例示したが、「吐水形態の変更」には、以下に例示するような任意の態様が含まれるものとする。
【０１６０】
図１９に示す水栓装置３００は、シャワーヘッド３０２と、カラン３０４と、流調操作部３０６と、温調操作部３０８と、シャワー吐水スイッチ３１０と、カラン吐水スイッチ３１２と、を有する。この水栓装置３００は、シャワー吐水スイッチ３１０及びカラン吐水スイッチ３１２を押圧することにより、第１の吐水形態であるシャワー吐水と第２の吐水形態であるカラン吐水を切替えることができるように構成されている。
【０１６１】
２つの吐水形態のうちの１つであるシャワー吐水には、固定された吐水条件である固定吐水温度が規定されており、シャワーヘッド３０２からの吐水は、所定の固定吐水温度で開始される。一方、カラン吐水には固定された吐水条件が規定されておらず、カラン３０４からの吐水は、前回の止水時における吐水温度で開始される。
【０１６２】
或いは、シャワー吐水に対する固定吐水温度に代えて、又は、固定吐水温度に加えて、シャワーヘッド３０２からの吐水を、所定の固定吐水流量で開始させるように水栓装置を構成することもできる。
【０１６３】
さらに、上述した第１、第２実施形態と同様に、前回の止水後の経過時間等の条件に応じて、所定の固定吐水温度又は固定吐水流量への自動変更を、行わないように水栓装置を構成することもできる。
【０１６４】
本変形例の水栓装置によれば、シャワー吐水において、不意に大流量が吐水されたり、高温の吐水が為されるのを防止することができるので、水を意図しないところにかけたり、高温の吐水を浴びるのを防止することができる。
【図面の簡単な説明】
【０１６５】
【図１】本発明の第１実施形態による水栓装置の、吐水ヘッドを水栓本体に装着した状態を示す示す斜視図である。
【図２】本発明の第１実施形態による水栓装置の、吐水ヘッドを水栓本体から引き出した状態を示す示す斜視図である。
【図３】本発明の第１実施形態による水栓装置の構成を示すブロック図である。
【図４】本発明の第１実施形態による水栓装置の作用を示すタイムチャートである。
【図５】本発明の第１実施形態による水栓装置の作用を示す制御のフローチャートである。
【図６】本発明の第１実施形態による水栓装置の作用を示す制御のフローチャートである。
【図７】本発明の第１実施形態による水栓装置の作用を示す制御のフローチャートである。
【図８】本発明の第１実施形態による水栓装置の作用を示す制御のフローチャートである。
【図９】本発明の第１実施形態の変形例において、図７に示すサブルーチンに代えて呼び出されるサブルーチンである。
【図１０】本発明の第２実施形態による水栓装置において、吐水口を下方に向けた状態の斜視図である。
【図１１】本発明の第２実施形態による水栓装置において、吐水口を上方に向けた状態の斜視図である。
【図１２】本発明の第２実施形態による水栓装置の作用を示すタイムチャートである。
【図１３】本発明の第２実施形態による水栓装置の作用を示す制御のフローチャートである。
【図１４】本発明の第２実施形態による水栓装置の作用を示す制御のフローチャートである。
【図１５】本発明の第２実施形態の水栓装置の変形例の作用を示すタイムチャートである。
【図１６】本発明の第２実施形態の水栓装置の変形例のメインルーチンのフローチャートである。
【図１７】図１６のメインルーチンから呼び出されるサブルーチンのフローチャートである。
【図１８】図１６のメインルーチンから呼び出されるサブルーチンのフローチャートである。
【図１９】本発明の変形例による水栓装置全体を示す斜視図である。
【符号の説明】
【０１６６】
Ｆｔｋ      吐水形態フラグ
Ｆｔｋｐ    直前吐水形態フラグ
Ｆｐｍ      吐止水モードフラグ
Ｆｓ        人体検知フラグ
Ｑｍ        吐水流量目標値
ＱＭ（Ｘ）  固定吐水流量
ｔｍ        吐水温度目標値
ｔＭ（Ｘ）  固定吐水温度
ＱＬ（Ｘ）  吐水流量上限値
ｔＬ（Ｘ）  吐水温度上限値
Ｔｓ        止水後経過時間タイマー
ＴＳ        止水後時間
１          本発明の第１実施形態による水栓装置
２          吐水ヘッド（吐水部）
２ａ        吐水口
２ｂ        シャワーホース
４          洗面ボウル
６          水栓本体
８          流調操作部（操作部）
８ａ        光照射部
１０        温調操作部（操作部）
１０ａ      光照射部
１２        水栓装置機能部
１４        着脱センサ（吐水形態検出手段）
１６        温調バルブ（吐水条件形成手段）
１６ａ      給湯管
１６ｂ      給水管
１６ｃ      モータ
１８        流量調整弁（吐水条件形成手段）
２０        電磁弁
２２        コントローラ（制御手段）
２２ａ      メモリ（記憶手段）
１００      本発明の第２実施形態による水栓装置
１０２      吐水ヘッド
１０２ａ    吐水口
１０６      水栓本体
１０８      人体検知センサ
３００      水栓装置
３０２      シャワーヘッド
３０４      カラン
３０６      流調操作部
３０８      温調操作部
３１０      シャワー吐水スイッチ
３１２      カラン吐水スイッチ
【図１】
2010059740.tif 000003
【図２】
2010059740.tif 000004
【図３】
2010059740.tif 000005
【図４】
2010059740.tif 000006
【図５】
2010059740.tif 000007
【図６】
2010059740.tif 000008
【図７】
2010059740.tif 000009
【図８】
2010059740.tif 000010
【図９】
2010059740.tif 000011
【図１０】
2010059740.tif 000012
【図１１】
2010059740.tif 000013
【図１２】
2010059740.tif 000014
【図１３】
2010059740.tif 000015
【図１４】
2010059740.tif 000016
【図１５】
2010059740.tif 000017
【図１６】
2010059740.tif 000018
【図１７】
2010059740.tif 000019
【図１８】
2010059740.tif 000020
【図１９】
2010059740.tif 000021